(57)【要約】【課題】一方向開口のある室内空間について、空気の移動と関連して、室内環境の快適性などを評価する新規なシステム、及び、方法を提案する。【解決手段】建物の一つの外壁面Ｆ１の開口部Ｗ１のみが開けられることにより、一方向開口のある室内空間Ｒ１が形設されるものについて、前記開口部Ｗ１を通過する空気の移動Ａ１をシミュレーションするものであって、空気の移動Ａ１に影響を及ぼす構造要素を設定するとともに、この構造要素の設定に伴って変化する空気の移動Ａ１をシミュレーションする、室内環境評価システムとする。【選択図】図１
2010276271.tif 000002
【特許請求の範囲】
【請求項１】
建物の一つの外壁面の開口部のみが開けられることにより、一方向開口のある室内空間が形設されるものについて、前記開口部を通過する空気の移動をシミュレーションするものであって、
前記空気の移動に影響を及ぼす構造要素が設定された際に、この構造要素の設定に伴って変化する空気の移動が表示される、室内環境評価システム。
【請求項２】
前記シミュレーションにおいては、外壁面における圧力分布図により、外壁面に作用する空気の移動に伴う空気の圧力分布が表示される、
ことを特徴とする請求項１に記載の室内環境評価システム。
【請求項３】
前記シミュレーションにおいては、空気の移動を示す流速ベクトル図により、空気の移動の方向、及び／又は、空気の移動の流速の高低が表示される、
ことを特徴とする請求項１又は請求項２に記載の室内環境評価システム。
【請求項４】
前記シミュレーションにおいては、開口部を介した室内空間の単位時間当たりの換気量、及び／又は、この換気量を室内空間の容積で除して算出される換気回数が算出される、
ことを特徴とする請求項１乃至請求項３のいずれか一項に記載の室内環境評価システム。
【請求項５】
建物の一つの外壁面の開口部のみが開けられることにより、一方向開口のある室内空間が形設されるものについて、前記開口部を通過する空気の移動をシミュレーションするものであって、
前記空気の移動に影響を及ぼす構造要素を設定し、この構造要素の設定に伴って変化する空気の移動を評価する、室内環境評価方法。
【請求項６】
前記シミュレーションにおいては、外壁面における圧力分布図により、外壁面に作用する空気の移動に伴う空気の圧力分布を評価する、
ことを特徴とする請求項５に記載の室内環境評価方法。
【請求項７】
前記シミュレーションにおいては、空気の移動を示す流速ベクトル図により、空気の移動の方向、及び／又は、空気の移動の流速の高低を評価する、
ことを特徴とする請求項５又は請求項６に記載の室内環境評価方法。
【請求項８】
前記シミュレーションにおいては、開口部を介した室内空間の単位時間当たりの換気量、及び／又は、この換気量を室内空間の容積で除して算出される換気回数を算出することにより、室内環境の快適性を評価する、
ことを特徴とする請求項５乃至請求項７のいずれか一項に記載の室内環境評価方法。
【発明の詳細な説明】
【技術分野】
【０００１】
本発明は、住宅などの室内環境の快適性などを評価する方法に関する。
【背景技術】
【０００２】
従来、住宅などの建物の通風状態を評価する技術が検討されており、関連する技術について開示する文献も存在する（特許文献１、特許文献２参照。）。
【０００３】
特許文献１に開示される技術では、明細書の段落００１７に記載されるように、東西南北の４方向からの外部風向により、各部屋の通風状態をシミュレーションすることで、ある窓から主として空気が流入し、別のある窓から主として空気が流出することを表現することを可能としている。
【０００４】
また、特許文献２に開示される技術では、明細書の段落００２１に記載されるように、建物に形成された開口部から屋内に入り込んで他の開口部から出ていくまでの挙動を立体的に予測することを可能としている。
【先行技術文献】
【特許文献】
【０００５】
【特許文献１】特許第３８４７１５９号明細書
【特許文献２】特開２００２−２２２２０号公報
【非特許文献】
【０００６】
【非特許文献１】建築物総合環境性能評価システム［ｏｎｌｉｎｅ］    インターネット＜ｈｔｔｐ：／／ｗｗｗ．ｉｂｅｃ．ｏｒ．ｊｐ／ＣＡＳＢＥＥ／＞
【発明の概要】
【発明が解決しようとする課題】
【０００７】
以上に述べた従来技術では、二箇所以上の窓などの開口部が配置されることを前提とし、入口となる開口部と出口となる開口部が把握され、これとともに、建物内の空気の移動がシミュレーションされるものである。
【０００８】
このようなことから、例えば、図１０（ａ）の間取りに示すごとく、二箇所に窓Ｗ９１・Ｗ９１がある部屋Ｒ９１や、二箇所に窓Ｗ９２・Ｗ９２がある部屋Ｒ９２については、それぞれ空気の移動Ａ９１・Ａ９２のようなシミュレーションが可能となるものである。
【０００９】
同様に、図１０（ｂ）の間取りに示すごとく、二箇所に窓Ｗ９３・Ｗ９３がある部屋Ｒ９３や、二箇所に窓Ｗ９４・Ｗ９４がある部屋Ｒ９４については、それぞれ空気の移動Ａ９３・Ａ９３のようなシミュレーションが可能となるものである。
【００１０】
このように、二箇所に窓が配置される部屋、つまり、二方向開口のある部屋においては、空気の移動をシミュレーションを行うことが可能であったといえる。そして、このような、二方向開口のある部屋については、慣例的に、換気が効率よく行われ、換気と関連する快適性において優れるといった評価がなされるものであった。
【００１１】
一方、図１０（ａ）に示される部屋Ｒ９５や、図１０（ｂ）に示される部屋Ｒ９６については、それぞれ一箇所にのみ窓Ｗ９５・Ｗ９６が配置されることとなっており、一方向開口のある室内空間として構成されることになる。そして、このような、一方向開口のある室内空間については、慣例的に、二方向開口のある部屋と比較して換気がよく行われないといった評価がなされるものであった。
【００１２】
ここで、仮に、一方向開口のある室内空間Ｒ９５・Ｒ９６について、室内ドアＤ９５・Ｄ９６が開かれているとすれば、各部屋Ｒ９５・Ｒ９６が他の部屋の開口部とつながることになる。そして、各部屋Ｒ９５・Ｒ９６には実質的に二箇所以上の開口部が形成され、各部屋Ｒ９５・Ｒ９６は二方向開口のある部屋として考えることができ、他の部屋Ｒ９１〜Ｒ９４の場合と同様に空気の移動のシミュレーションができるとも考えられる。従来技術においても、全ての部屋の開口部、及び、室内ドアが開かれたことを想定してのシミュレーションを行う例が開示されている。
【００１３】
ところが、実際の生活では、室内ドアＤ９５・Ｄ９６を閉じた状態で、部屋Ｒ９５・９６で生活する形態が想定される。つまり、必ずしも室内ドアＤ９５・Ｄ９６を開けたままにすることや、他の部屋の窓を開けたままで生活がなされるわけではない。
【００１４】
例えば、夜間の就寝時においては、防犯上の観点や、突然の降雨発生の観点などから、他の部屋の窓や、室内ドアＤ９５・Ｄ９６を閉じたままにすることが想定される。このような場合では、各部屋Ｒ９５・Ｒ９６については、窓Ｗ９５・Ｗ９６だけが開かれた一方向開口のある室内空間として構成されることになる。そして、このような一方向開口のある室内空間Ｒ９５・Ｒ９６については、従来の手法では、空気の移動がシミュレーションできないことになる。何故なら、従来の手法は、二箇所以上の開口部の配置を前提とするためである。
【００１５】
他方、室内環境の快適性などの品質を評価する手法の一つとして、建築物総合環境性能評価システム（ＣＡＳＢＥＥ）が提唱されている（非特許文献１参照。）。この建築物総合環境性能評価システムにおいて、室内環境の快適性に関連する評価項目＜ＱＨ１．１．２．１＞では、居室において二方向に開口部にある場合（二方向開口）、又は、一方向開口でも通風・排熱を促進する取組がなされている場合には、評価レベルが高いとされている。また、省エネルギーに関連する評価項目＜ＬＲＨ１．１．２＞では、自然風の利用による冷房エネルギーの削減を可能とする場合には、評価レベルが高いとされている。
【００１６】
従って、二方向開口のある部屋を有する場合には、評価項目＜ＱＨ１．１．２．１＞において高い評価レベルを得ることができ、加えて、従来の手法により自然風（空気の移動）をシミュレーションすれば、評価項目＜ＬＲＨ１．１．２＞において高い評価レベルを得ることを予想できることになる。
【００１７】
しかし、一方向開口のある室内空間については、通風・排熱を促進する取組がなされていなければ、評価項目＜ＱＨ１．１．２．１＞において高い評価レベルを得ることができないものとなる。このことから、仮に、通風等の促進について取組みがなされていない一方向開口のある室内空間について、実際は、空気の移動が存在し、室内の空気と外気とが適切に換気され、快適性が得られる構成になっている場合であっても、このことは評価レベルに影響しないものであった。
【００１８】
また、従来の手法では、一方向開口の自然風（空気の移動）がシミュレーションできないため、評価項目＜ＬＲＨ１．１．２＞において高い評価レベルを得ることを予想することができないのである。このことから、仮に、一方向開口のある室内空間について、実際は、空気の移動が存在し、室内の空気と外気とが適切に換気され、自然風の利用による冷房エネルギーの削減が得られる構成になっている場合であっても、このことは評価レベルに影響しないものであった。
【００１９】
さらに、二方向開口のある部屋であっても、実際には、一つの開口部しか開けることができず、一方向開口のある室内空間となる場合もある。例えば、開口部のある壁面の隣に他の建物が隣接するなどして、プライバシーの観点などからその開口部を閉めたきりにする必要がある場合や、家具などが配置されて、開口部を開けることができないといった状況の場合である。
【００２０】
このような場合では、仮に、新築設計時において、二方向開口にて空気の移動（通風）のシミュレーションを行った場合でも、実際には、空気の移動が実現されないといった不具合が生じることになる。また、このような場合では、仮に、建築物総合環境性能評価システムにおいて高い評価レベルを得ていたとしても、実際の性能（快適性の確保、自然風の利用など）とはかけ離れてしまうという不具合も生じることになる。こういった不具合を発生させないためには、一方向開口のある室内空間を想定したシミュレーションが行えることが要求されるのである。
【００２１】
以上に説明したように、従来の手法では、一方向開口のある室内空間についての空気の移動のシミュレーションができないものであり、一方向開口のある室内空間の快適性などの評価が行えないものであった。さらに言うなれば、従来の慣例的な考え方はもちろんのこと、例えば、建築物総合環境性能評価システムによる評価においても、一方向開口のある室内空間については、二方向開口でないという形式的な観点によって、適切な評価を得ることができないことが懸念され、また、二方向開口があるだけで高い評価を得た場合であっても、実際の快適性などとはかけ離れるといったことが懸念されるのである。
【００２２】
そこで、本発明は、以上の問題に鑑み、一方向開口のある室内空間について、空気の移動と関連して、室内環境の快適性などを評価する新規なシステム、及び、方法を提案するものである。
【課題を解決するための手段】
【００２３】
本発明の解決しようとする課題は以上の如くであり、次にこの課題を解決するための手段を説明する。
【００２４】
即ち、請求項１に記載のごとく、
建物の一つの外壁面の開口部のみが開けられることにより、一方向開口のある室内空間が形設されるものについて、前記開口部を通過する空気の移動をシミュレーションするものであって、
前記空気の移動に影響を及ぼす構造要素が設定された際に、この構造要素の設定に伴って変化する空気の移動が表示される、室内環境評価システムとするものである。
【００２５】
また、請求項２に記載のごとく、
前記シミュレーションにおいては、外壁面における圧力分布図により、外壁面に作用する空気の移動に伴う空気の圧力分布が表示される、こととするものである。
【００２６】
また、請求項３に記載のごとく、
前記シミュレーションにおいては、空気の移動を示す流速ベクトル図により、空気の移動の方向、及び／又は、空気の移動の流速の高低が表示される、こととするものである。
【００２７】
また、請求項４に記載のごとく、
前記シミュレーションにおいては、開口部を介した室内空間の単位時間当たりの換気量、及び／又は、この換気量を室内空間の容積で除して算出される換気回数が算出される、こととするものである。
【００２８】
また、請求項５に記載のごとく、
建物の一つの外壁面の開口部のみが開けられることにより、一方向開口のある室内空間が形設されるものについて、前記開口部を通過する空気の移動をシミュレーションするものであって、
前記空気の移動に影響を及ぼす構造要素を設定し、この構造要素の設定に伴って変化する空気の移動を評価する、室内環境評価方法とするものである。
【００２９】
また、請求項６に記載のごとく、
前記シミュレーションにおいては、外壁面における圧力分布図により、外壁面に作用する空気の移動に伴う空気の圧力分布を評価する、こととするものである。
【００３０】
また、請求項７に記載のごとく、
前記シミュレーションにおいては、空気の移動を示す流速ベクトル図により、空気の移動の方向、及び／又は、空気の移動の流速の高低を評価する、こととするものである。
【００３１】
また、請求項８に記載のごとく、
前記シミュレーションにおいては、開口部を介した室内空間の単位時間当たりの換気量、及び／又は、この換気量を室内空間の容積で除して算出される換気回数を算出することにより、室内環境の快適性を評価する、こととするものである。
【発明の効果】
【００３２】
本発明の効果として、以下に示すような効果を奏する。
【００３３】
即ち、請求項１に記載の発明においては、一方向開口のある室内空間について、構造要素の設定に伴って変化する空気の移動をシミュレーションすることにより、室内環境の快適性についての評価をすることができる。
【００３４】
また、請求項２に記載の発明においては、目視により空気の圧力分布が確認できる。
【００３５】
また、請求項３に記載の発明においては、目視による空気の移動が確認できる。
【００３６】
また、請求項４に記載の発明においては、室内環境の快適性について定量的な評価が可能となる。
【００３７】
また、請求項５に記載の発明においては、一方向開口のある室内空間について、構造要素の設定に伴って変化する空気の移動をシミュレーションすることにより、室内環境の快適性についての評価をすることができる。
【００３８】
また、請求項６に記載の発明においては、目視により空気の圧力分布が確認できる。
【００３９】
また、請求項７に記載の発明においては、目視による空気の移動が確認できる。
【００４０】
また、請求項８に記載の発明においては、室内環境の快適性について定量的な評価が可能となる。
【図面の簡単な説明】
【００４１】
【図１】本発明のシミュレーションの実施例１について説明する図。
【図２】本発明のシミュレーションの実施例１の手順について説明する図。
【図３】本発明のシミュレーションの実施例２について説明する図。
【図４】（ａ）は、傾斜屋根を設けた場合のシミュレーションの実施例について示す図。（ｂ）は、グレーチングフロアを有するバルコニーを設けた場合のシミュレーションの実施例について示す図。（ｃ）は、傾斜屋根とグレーチングフロアを組合せた場合のシミュレーションの実施例について示す図。
【図５】（ａ）は、庇を設けた場合のシミュレーションの実施例について示す図。（ｂ）は、ルーバーを有する庇を設けた場合のシミュレーションの実施例について示す図。（ｃ）は、庇とグレーチングフロアを設けた場合のシミュレーションの実施例について示す図。（ｄ）は、庇の上方に通風窓を設けた場合のシミュレーションの実施例について示す図。
【図６】（ａ）は、開口部の高さが低い場合のシミュレーションの実施例について示す図。（ｂ）は、開口部の高さが高い場合のシミュレーションの実施例について示す図。（ｃ）は、バルコニーの壁の高さが低い場合のシミュレーションの実施例について示す図。（ｄ）は、バルコニーの壁の高さが高い場合のシミュレーションの実施例について示す図。
【図７】（ａ）は、化粧梁を設けた場合のシミュレーションの実施例について示す図。（ｂ）は、化粧梁によって形成される空気の移動のシミュレーションの実施例について示す図。（ｃ）は、化粧梁の開口部に意匠性を高める柵を設けた場合のシミュレーションの実施例について示す図。
【図８】（ａ）は、壁面に多数の小窓を配置した場合であって、ある形態の開口部を形成した場合のシミュレーションの実施例について示す図。（ｂ）は、同じく、壁面に多数の小窓を配置した場合であって、他の形態の開口部を形成した場合のシミュレーションの実施例について示す図。（ｃ）は、小さい開口部が形成されるような複数の小窓が設置される場合におけるシミュレーションの実施例について示す図。（ｄ）は、数多くの小さい開口部が形成されるような多数の小窓が設置される場合におけるシミュレーションの実施例について示す図。
【図９】（ａ）は、バルコニーの側壁面について、通風を実現する柵を設けた場合のシミュレーションの実施例について示す図。（ｂ）は、バルコニーの前面についても、通風を実現する柵を設けた場合のシミュレーションの実施例について示す図。
【図１０】（ａ）は、一方向開口のある室内空間を有する間取りの形態の例について示す図である。（ｂ）は、一方向開口のある室内空間を有する間取りの形態の他の例について示す図である。
【発明を実施するための形態】
【００４２】
次に、発明の実施の形態を説明する。
本発明は、図１に示すごとく、建物の一つの外壁面Ｆ１にのみ開口部Ｗ１が配設されることにより、一方向開口のある室内空間Ｒ１が形設されるものについて、前記開口部Ｗ１を通過する空気の移動Ａ１をシミュレーションするものであって、空気の移動Ａ１に影響を及ぼす構造要素を設定するとともに、この構造要素の設定に伴って変化する空気の移動Ａ１をシミュレーションする、室内環境評価システムとするものである。
【００４３】
また、このシミュレーションにおいては、外壁面Ｆ１における圧力分布図１１により、外壁面Ｆ１に作用する空気の移動に伴う空気の圧力分布が表示されて、目視による空気の圧力分布が確認できるようになっている。
【００４４】
また、このシミュレーションにおいては、室内空間Ｒ１の室内、室外、及び、開口部Ｗ１などの各箇所を通過する空気の移動Ａ１を示す流速ベクトル図３１により、空気の移動Ａ１の方向、及び／又は、空気の移動Ａ１の流速の高低が表示されて、目視による空気の移動が確認できるようになっている。
【００４５】
また、このシミュレーションにおいては、開口部Ｗ１を介した室内空間Ｒ１の単位時間当たりの換気量Ｋ（ｍ３／ｈ）、及び／又は、この換気量Ｋを、室内空間Ｒ１の容積（ｍ３）で除して算出される換気回数Ｍを、快適性を評価するための数値として用いることで、定量的な評価が行えることが可能となっている。そして、この換気量Ｋを、室内空間Ｒ１の容積（ｍ３）で除して算出される換気回数Ｍ（回／ｈ：１時間あたりの空気の入れ替わりの回数）として演算し、この換気回数Ｍ（回／ｈ）を、快適性を評価するための数値として用いることで、定量的な評価が可能となっている。
【００４６】
そして、シミュレーションの作業においては、空気の移動Ａ１に影響を及ぼす構造要素を選定することにより、この構造要素の選定に伴う空気の移動Ａ１をシミュレーションするものである。即ち、バルコニーＢ１などの構造要素がマスター化されて選択可能な構造要素群Ｓが用意されており、ある一つの構造要素を採用したケース、若しくは、複数の構造要素を採用したケースといった各ケースにおいて、圧力分布図１１、流速ベクトル図３１、換気回数Ｍ（回／ｈ）を表示することで、一方向開口のある室内空間Ｒ１における空気の移動、換気量、換気回数といった室内環境を、視覚的、且つ、定量的に評価することができるようになっている。
【００４７】
なお、図１に示される内容は、シミュレーション画面の一例であり、シミュレーションの対象となるケースモデルＺ１と、構造要素群Ｓと、圧力分布図１１と、流速ベクトル図３１と、換気回数Ｍ（回／ｈ）と、が一画面に表示されたものとしているが、特に、この画面構成に限定されるものではない。
【００４８】
また、シミュレーションを行うための具体的なシステム構成については、当業者に周知のハードウェア、ソフトウェアの構成について実現することができ、また、圧力分布図１１や流速ベクトル図３１を作成するためのプログラムは、当業者において周知の流体解析手法を用いたもので実現でき、ケースモデルＺ１を作成するためのプログラムについても、当業者において周知のプログラムを用いたもので実現できるため、ここでは詳細な説明はしない。なお、プログラムとしては、例えば、ＦＬＵＥＮＴ（アンシス・ジャパン株式会社、１９８３年販売開始）、ＳＴＲＥＡＭ（株式会社ソフトウェアクレイドル、１９８４年販売開始）、その他汎用流体解析ソフトを利用することができる。
【００４９】
また、本発明において、一方向開口のある室内空間とは、図１に示すごとく、建物の一つの外壁面Ｆ１の開口部Ｗ１のみが開けられ得る室内空間Ｒ１をいうものである。なお、この「一方向開口のある室内空間」には、仮に二つの外壁面に開口部が設けられる場合であっても、開口部のある壁面の隣に他の建物が隣接するなどして、プライバシーの観点などからその開口部を閉めたきりにする必要がある場合や、家具などが配置されて、開口部を開けることができないといった状況であって、一つの外壁面に開口部が設けられる場合と実質的に同じ状況が構成されているものも含まれるものとする。また、シミュレーションにおいては、室内空間Ｒ１の室内に配置される室内ドアなどの開閉部は、全て閉じられたものとして解析が行われるものである。
【００５０】
また、シミュレーションの手順の実施の形態は、図２のようにすることができる。
即ち、図２に示すごとく、評価の対象となる一方向開口のある室内空間の仕様（室内空間の容積など）が定義される第一ステップＰ１と、開口部の仕様（面積、形状、位置など）が定義される第二ステップＰ２と、室外環境の仕様（空気の流れの方向、流速など）が定義される第三ステップＰ３と、空気の移動に影響を及ぼす構造要素（バルコニー、屋根形状（傾斜屋根）、庇など）が定義される第四ステップＰ４と、前記第一〜第四ステップＰ１〜Ｐ４で定義された情報から圧力分布図を表示する第五ステップＰ５とを有することとしている。
【００５１】
また、同様に、図２に示すごとく、前記第一〜第四ステップＰ１〜Ｐ４で定義された情報から流速ベクトル図を表示する第六ステップＰ６をさらに有することとしている。同様に、前記第一〜第四ステップＰ１〜Ｐ４で定義された情報から換気量Ｋ、及び／又は、換気回数Ｍ（回／ｈ）を表示する第七ステップＰ７をさらに有することとしている。さらに、前記第七ステップＰ７にて表示される換気量Ｋ、及び／又は、換気回数Ｍ（回／ｈ）の値が、予めレベル付けされた複数の基準範囲のいずれに含まれるかを対比するとともに、含まれた基準範囲のレベルを表示する第八ステップＰ８をさらに有することしている。
【００５２】
そして、図２に示すごとく、換気量Ｋ、及び／又は、換気回数Ｍ（回／ｈ）に基づいて定義され、第八ステップＰ８で表示されるレベルを、評価の指標とすることで、室内環境の評価をすることができる。つまり、例えば、評価の良し悪しをレベル１〜レベル５の５段階で評価するものである。そして、間取りのプラン設計の際や、顧客にプレゼンテーションする際においては、一方向開口のある室内空間の室内環境をシミュレーションする場合では、本発明による評価のレベルを用いることで、室内環境を定量的に、かつ、わかりやすく、把握することが可能となる。また、本発明による評価のレベルを単独で用いることはもちろんであるが、従来知られている建築物総合環境性能評価システム（ＣＡＳＢＥＥ）と対比させながら用いることもできる。
【００５３】
以下では、様々な構造要素を用いたいくつかのケースを例示しながら、シミュレーションの実施の形態について説明する。
【実施例１】
【００５４】
シミュレーションの実施例１は、図１に示すごとく、構造要素群ＳからバルコニーＢ１が選定され、室内空間Ｒ１において、開口部Ｗ１の前方にバルコニーＢ１が配置された場合についてシミュレーションを実施した例である。この実施例では、バルコニーＢ１が、空気の移動に影響を及ぼす構造要素となる。
【００５５】
ケースモデルＺ１には、外壁面Ｆ１に向かって流れる空気の移動Ａ１（自然風をシミュレーションしたもの）が矢印にて表示され、バルコニーＢ１の壁面を跨ぐようにして室内空間Ｒ１に自然風が導入され得る様子が表示される。
【００５６】
そして、この空気の移動Ａ１によって外壁面Ｆ１に作用する空気の圧力の分布が、圧力分布図１１として表示される。この圧力分布図１１においては、同一の圧力が生じるポイントを所定の圧力間隔の等圧線で結んだもので表示され、また、各等圧線の間が色づけされるなどして、圧力分布が視覚的に評価できるようになっている。また、圧力分布図１１においても、開口部Ｗ１の位置が表示されるようになっており、開口部Ｗ１が配置されるにおける圧力が容易に把握できるようになっている。
【００５７】
また、この空気の移動Ａ１による室内空間Ｒ１の室内の空気の移動や、外壁面Ｆ１やバルコニーＢ１に衝突して流れる空気の移動が、流速ベクトル図３１に表示される。この流速ベクトル図３１では、線状のベクトルによって空気の移動の方向が表示され、濃淡によって空気の流速の高低が表示される。また、空気の移動の方向と、空気の流速の高低は、いずれか一方が表示されることとしてもよい。この例では、外壁面Ｆ１に衝突した空気が、高い流速で上方に抜けるように移動することが表示されるようになっている。
【００５８】
また、流速ベクトル図３１において、開口部Ｗ１の箇所においては、室外から室内空間Ｒ１の室内にいったん入り込んだ空気が、再び室外へと出されることが表示されるようになっている。このような空気の移動の発生は、実際には、（１）バルコニーＢ１が存在することにより、バルコニーＢ１の室外側面に衝突した空気がいったん巻上げられた上で室内空間Ｒ１に進入すること、（２）これに伴い、バルコニーＢ１と開口部Ｗ１の間が負圧の状態となって、渦流が発生すること、といったことが原因であることと推定することができ、この様子が流速ベクトル図３１にて表示されることとなっているのである。換言すれば、バルコニーＢ１の存在によって、開口部Ｗ１の周りにおいて、空気の圧力差が生じることとなり、この圧力差によって、開口部Ｗ１を通して室内と室外の間を移動する空気の移動（本実施例では渦流として、流速ベクトル図３１で表されている）が発生するのである。
【００５９】
そして、このような流速ベクトル図３１の作成による空気の移動の解析を行うとともに、この解析の結果から、室内空間Ｒ１の室内に入ってから室外に出る空気の量、即ち、換気量Ｋが表示されるようになっている。また、この換気量Ｋを室内空間Ｒ１の容積（ｍ３）で除して算出される換気回数Ｍ（回／ｈ：１時間あたりの空気の入れ替わりの回数）が表示されるようになっている。さらに、換気量Ｋ、又は、換気回数Ｍ（回／ｈ）に基づいて、評価レベルＥが表示されるようになっている。
【００６０】
なお、換気回数Ｍ（回／ｈ）の算出に用いる室内空間Ｒ１の容積については、予め別の入力画面などにより定義されることができる。また、換気量Ｋと換気回数Ｍ（回／ｈ）は、いずれか一方が表示されることとしてもよい。また、評価レベルＥについては、予め５段階にレベル付けされた基準範囲を設けておき、この基準範囲と換気量Ｋなどを対比させることで、レベルが決定されることができる。
【００６１】
以上のようにして、一方向開口のある室内空間Ｒ１における空気の移動、換気量、換気回数といった室内環境を、視覚的、且つ、定量的に評価することができるようになっている。即ち、外壁面Ｆ１に作用する空気の移動Ａ１に影響する構造要素であるバルコニーＢ１を配設した場合において、圧力分布図１１にて外壁面Ｆ１の圧力の分布を視覚的に評価することができ、流速ベクトル図３１にて移動する空気流速や方向を視覚的に評価することができ、換気量Ｋ、換気回数Ｍ（回／ｈ）により、自然風の取り込み量を定量的に評価することができるのである。また、評価レベルＥによれば、容易に、室内環境の良し悪しを把握することができる。
【００６２】
なお、この実施例１では、換気回数Ｍ（回／ｈ）が１０．５回として算出されることとなっている。この１０．５回は、『自立循環型住宅への設計ガイドライン』（国土交通省国土技術政策総合研究所・独立行政法人建築研究所監修財団法人  建築環境・省エネルギー機構発行）に参照されるように、通風を行う場合の換気回数の目安である１０回よりも多いものであり、一方向開口のある室内空間Ｒ１であっても、良好な室内環境を実現し得るものとして評価されることとなる。
【実施例２】
【００６３】
シミュレーションの実施例２は、図３に示すごとく、構造要素群Ｓからは、何も選択されず、室内空間Ｒ１において、開口部Ｗ１の存在する外壁面Ｆ１に対し、直接的に空気の移動Ａ２（自然風をシミュレーションしたもの）が当てられる場合についてシミュレーションを実施した例である。この実施例では、空気の移動に影響を及ぼす構造要素は、設定されないものとなるが、いわゆるデフォルト（基準となる設定）として設定がされるものである。なお、このデフォルトの設定であっても、開口部Ｗ１の仕様を変更する（開口面積、窓の形態、などを変更する）ことによって、空気の移動に影響が及ぼされるものであり、この場合には、開口部Ｗ１の仕様が空気の移動に影響を及ぼす構造要素となる。
【００６４】
ケースモデルＺ２には、外壁面Ｆ２に向かって流れる空気の移動Ａ２が矢印にて表示され、開口部Ｗ１から直接的に室内空間Ｒ１に自然風が導入され得る様子が表示される。
【００６５】
そして、この空気の移動Ａ２によって外壁面Ｆ１に作用する空気の圧力の分布が、圧力分布図１１として表示される。また、この空気の移動Ａ２による室内空間Ｒ１の室内の空気の移動や、外壁面Ｆ１やバルコニーＢ１に衝突して流れる空気の移動が、流速ベクトル図３１に表示される。
【００６６】
また、流速ベクトル図３１において、開口部Ｗ１の箇所においては、図１を示す流速ベクトル図３１と比較しても解るように、渦流のような空気の移動が発生していないことが確認される。これは、実施例２では、図１におけるバルコニーＢ１が存在しないために、開口部Ｗ１の周りにおいて生じる圧力差が実施例１と比較して小さくなるためである。また、圧力分布図１１からも読み取れるように、外壁面Ｆ１に対し風圧力が略均等にかかるため、開口部Ｗ１周りにおいても空気の流入、流出が少なくなり、空気の移動が発生しにくいためとも考えられる。
【００６７】
そして、実施例２における換気量Ｋと、換気回数Ｍ（回／ｈ：１時間あたりの空気の入れ替わりの回数）が表示される。実施例２では、換気回数Ｍ（回／ｈ）が３．１回として算出されることとなっており、実施例１の１０．５回と比較すると低いものであると評価することができる。
【００６８】
また、この実施例２と実施例１の比較によれば、バルコニーを設けることによって、換気量、換気回数を増大させることが可能であることをシミュレーションにて確認することができる。例えば、実施例１では、換気回数Ｍ（回／ｈ）＝１０．５回／ｈであって、実施例２の換気回数Ｍ（回／ｈ）＝３．１回／ｈであることから、バルコニーの設置によって、換気性能が約３．３倍になる、といったことをシミュレーションにて評価することができる。また、評価レベルＥを比較して、室内環境の良し悪しを比較することもできる。
【００６９】
なお、上記で説明した図１、図３で示される実施例１、２においては、空気の移動Ａ１・Ａ２は、風速１ｍ／ｓ（メートル／秒）で共通し、外壁面Ｆ１、開口部Ｗ１、室内空間Ｒ１も共通の設定にてシミュレーションされたものである。このように、仕様を共通としつつ、空気の移動Ａ１・Ａ２に影響する要素（実施例１ではバルコニー）の有無を変更することにより、要素が換気回数（回／ｈ）などに及ぼす影響を評価することが可能となる。
【実施例３】
【００７０】
シミュレーションの実施例３は、図４（ａ）に示すごとく、空気の移動に影響を及ぼす構造要素として、傾斜屋根Ｙ１とバルコニーＢ１を選定した場合について示す例である。
【００７１】
この実施例３について、屋根の形状が平坦である実施例２と比較すれば、傾斜屋根Ｙ１が換気回数（回／ｈ）に与える影響を評価することができる。
【実施例４】
【００７２】
シミュレーションの実施例４は、図４（ｂ）に示すごとく、空気の移動に影響を及ぼす構造要素として、床面が空気を通過させることのできるグレーチングフロアＧ１を有するバルコニーＢ２を選定した場合について示す例である。
【００７３】
この実施例４について、バルコニーの床面が空気を通過させない一般的な防水フロアで構成される実施例２と比較すれば、グレーチングフロアＧ１を通過する空気の移動Ａ４が換気回数（回／ｈ）に与える影響を評価することができる。
【実施例５】
【００７４】
シミュレーションの実施例５は、図４（ｃ）に示すごとく、実施例３と実施例４を組合せた構成であり、これによれば、傾斜屋根Ｙ１とグレーチングフロアＧ１を有するバルコニーＢ２を組合せて選定した場合のシミュレーションを実施することができる。この実施例では、傾斜屋根Ｙ１とグレーチングフロアＧ１を有するバルコニーＢ２が、空気の移動に影響を及ぼす構造要素となる。
【００７５】
このように、構造要素（傾斜屋根Ｙ１やグレーチングフロアＧ１など）を組合せたシミュレーションを実施し、各構造要素を単独で選定した場合のシミュレーションと比較することにより、構造要素の組合せによる相乗的な効果を評価することが可能となる。
【実施例６】
【００７６】
シミュレーションの実施例６は、図５（ａ）に示すごとく、構造要素としてバルコニーＢ１と、庇Ｈ１を選定した場合のシミュレーションである。この実施例では、バルコニーＢ１と、庇Ｈ１が、空気の移動に影響を及ぼす構造要素となる。
【００７７】
このようにして、庇Ｈ１の存在が影響して生じる空気の移動Ａ５、及び、それに伴う換気回数などを評価することができる。
【実施例７】
【００７８】
シミュレーションの実施例７は、図５（ｂ）に示すごとく、構造要素として、バルコニーＢ１と、上下方向に空気を通過させるルーバーＬ１を有する庇Ｈ２を設けた場合のシミュレーションである。この実施例では、バルコニーＢ１、及び、ルーバーＬ１を有する庇Ｈ２が、空気の移動に影響を及ぼす構造要素となる。
【００７９】
このようにして、ルーバーＬ１の存在が影響して生じる空気の移動Ａ６・Ａ６ａ、及び、それに伴う、換気回数などを評価することができる。
【実施例８】
【００８０】
シミュレーションの実施例８は、図５（ｃ）に示すごとく、空気の移動に影響を及ぼす構造要素構造要素として、床面が空気を通過させることのできるグレーチングフロアＧ１を有するバルコニーＢ２と、庇Ｈ１を選定した場合のシミュレーションである。
【００８１】
このようにして、庇Ｈ１とグレーチングフロアＧ１を組合せて存在させた場合に生じる空気の移動Ａ７・Ａ７ａ、及び、それに伴う、換気回数などを評価することができる。
【実施例９】
【００８２】
シミュレーションの実施例９は、図５（ｄ）に示すごとく、空気の移動に影響を及ぼす構造要素として、バルコニーＢ１と、庇Ｈ１と、庇Ｈ１の上方の通風窓Ｔ１を選定した場合のシミュレーションである。
【００８３】
このようにして、庇Ｈ１と通風窓Ｔ１を組合せて存在させた場合に生じる空気の移動Ａ８、及び、それに伴う、換気回数などを評価することができる。なお、特に、通風窓Ｔ１から室外に向かって移動する空気の移動Ａ８ａは、庇Ｈ１の存在によって、庇Ｈ１の上方の空気の圧力が低くなることにより効果的に生じるものと考えられる。
【実施例１０】
【００８４】
シミュレーションの実施例１０は、図６（ａ）（ｂ）に示すごとく、開口部Ｗ２・Ｗ３の高さＨ２・Ｈ３の違いによる、空気の移動Ａ２２・Ａ２３、及び、それに伴う、換気回数などを評価する例である。この実施例では、開口部Ｗ２・Ｗ３の高さＨ２・Ｈ３が、空気の移動に影響を及ぼす構造要素となる。
【００８５】
このように、開口部Ｗ２・Ｗ３の高さＨ２・Ｈ３を変更し、評価することで、例えば、所望の換気回数を満たすための開口部Ｗ２・Ｗ３の高さＨ２・Ｈ３を設計することが可能となる。
【実施例１１】
【００８６】
シミュレーションの実施例１１は、図６（ｃ）（ｄ）に示すごとく、バルコニーＢ４・Ｂ５の壁の高さＨ４・Ｈ５の違いによる、空気の移動Ａ２４・Ａ２５、及び、それに伴う、換気回数などを評価する例である。この実施例では、バルコニーＢ４・Ｂ５の壁の高さＨ４・Ｈ５が、空気の移動に影響を及ぼす構造要素となる。
【００８７】
このように、バルコニーＢ４・Ｂ５の壁の高さＨ４・Ｈ５を変更し、評価することで、例えば、所望の換気回数を満たすためのバルコニーＢ４・Ｂ５の壁の高さＨ４・Ｈ５を設計することが可能となる。なお、バルコニーの壁の高さ変更に伴い、適宜、安全柵Ｓ４・Ｓ５の仕様も変更されることになるが、この安全柵Ｓ４・Ｓ５の仕様の違いによる空気の移動Ａ２４・Ａ２５の評価も行うことが可能となる。
【実施例１２】
【００８８】
シミュレーションの実施例１２は、図７（ａ）に示すごとく、化粧梁Ｃ１を設けた場合における、空気の移動Ａ３１、及び、それに伴う、換気回数などを評価する例である。この実施例では、化粧梁Ｃ１が、空気の移動に影響を及ぼす構造要素となる。
【００８９】
図７（ｂ）に示すごとく、化粧梁Ｃ１の存在によって、化粧梁Ｃ１の裏側面Ｃ１ａの空気の圧力が低くなり、これにより、外壁面Ｆ２に当たった空気が裏側面Ｃ１ａによって巻戻される空気の移動Ａ３１ａが生じることになる。また、上下に離れた位置に配置された開口部Ｗ６・Ｗ７をそれぞれ開放することにより、上側の開口部Ｗ６から部屋Ｒ３に入り込んだ空気が、下側の開口部Ｗ７から吹き出されるといった空気の移動Ａ３１ｂが形成されることになる。
【００９０】
なお、室内を移動する空気の移動Ａ３１ｂは、化粧梁Ｃ１によって空気の移動Ａ３１が上方へ巻上げられるようにして開口部Ｗ６から進入しやすくなること、及び、化粧梁Ｃ１によって空気の移動Ａ３１が開口部Ｗ７に直接的に当たらないこと、によって効果的に形成されることが考えられる。
【００９１】
このようにして、化粧梁Ｃ１を設けることによる、空気の移動や換気回数などへの影響を評価することができる。なお、化粧梁Ｃ１の設置とともに、適宜、開口部Ｗ６・Ｗ７の仕様を変更することで、この開口部Ｗ６・Ｗ７の仕様の違いによる空気の移動などの評価も行うことが可能となる。また、図７（ｃ）に示すごとく、化粧梁Ｃ１の開口部に、意匠性を高める縦方向の柵Ｕ１を設けた場合におけるシミュレーションを実施し、この柵Ｕ１による空気の移動への影響を評価してもよい。
【実施例１３】
【００９２】
シミュレーションの実施例１３は、図８（ａ）（ｂ）に示すごとく、外壁面Ｆ３に多数の小窓ＫＭ１〜ＫＭ４にて開口部Ｗ８・Ｗ９が形成される場合について、この開口部Ｗ８・Ｗ９の設定によって換気回数などを評価する例である。この実施例では、小窓ＫＭ１〜ＫＭ４が、空気の移動に影響を及ぼす構造要素となる。
【００９３】
図８（ａ）は、上端を回動支点として下端を上方に跳ね上げる小窓ＫＭ１・ＫＭ２を開口させて、外壁面Ｆ３に正面から向かって流れる空気の移動Ａ８を多く取り込むことが想定される場合についてシミュレーションが行われる例である。また、図８（ｂ）は、左右端の一方を回動支点として回動する小窓ＫＭ３・ＫＭ４を開口させて、外壁面Ｆ３の上をなぞるように流れる横方向の空気の移動Ａ９を多く取り込むことが想定される場合についてシミュレーションが行われる例である。
【００９４】
また、同様に、図８（ｃ）は、小さい開口部が形成されるような複数の小窓ＫＭ５が設置される場合、図８（ｄ）は、数多くの小さい開口部が形成されるような多数の小窓ＫＭ６が設置される場合について、それぞれシミュレーションが行われる例である。また、それぞれの例において、空気の移動Ａ１０・Ａ１１・Ａ１２を適宜想定するとともに、小窓ＫＭ５・ＫＭ６の開き方のバリエーションを想定することにより、空気の移動や小窓の開き方についての様々な状況を想定したシミュレーションを実施することができる。なお、図８（ｃ）の化粧梁Ｃ２については、意匠性を高める横方向の柵Ｕ２を設けるとともに、藤棚Ｄを設けることとしており、このような化粧梁Ｃ２とした場合のシミュレーションを行うことができるようになっている。
【実施例１４】
【００９５】
シミュレーションの実施例１４は、図９（ａ）（ｂ）に示すごとく、バルコニーＢ８・Ｂ９の壁面について、それぞれ、通風を実現する柵Ｕ８・Ｕ９・Ｕ９ａ設けた場合について、この柵Ｕ８・Ｕ９・Ｕ９ａを設けることによって換気回数などを評価する例である。この実施例では、バルコニーＢ８・Ｂ９、及び、柵Ｕ８・Ｕ９・Ｕ９ａが、空気の移動に影響を及ぼす構造要素となる。
【００９６】
図９（ａ）は、バルコニーＢ８の左右壁面を柵Ｕ８で構成し、これにより、空気の移動Ａ１１・Ａ１２が確保される場合についてシミュレーションが行われる例である。図９（ｂ）は、バルコニーＢ９の左右壁面に加え、前面Ｂ９ａについても、通風を実現する柵Ｕ９ａにて構成し、これにより、空気の移動Ａ１３・Ａ１４が確保される場合についてシミュレーションが行われる例である。
【００９７】
このようにして、バルコニーＢ８・Ｂ９の仕様を変更することによる、空気の移動や換気回数などへの影響を評価することができる。
【産業上の利用可能性】
【００９８】
本発明は、戸建て住宅はもちろんのこと、マンションなどの集合住宅、さらには、オフィスや宿泊施設などの様々な建物について、一方向開口のある室内空間の室内環境の評価に利用することができる。
【符号の説明】
【００９９】
１０    圧力分布図
２０    流速ベクトル図
Ｂ１    バルコニー
Ｃ１    化粧梁
Ｆ１    壁面
Ｇ１    グレーチングフロア
Ｈ１    庇
Ｋ      換気量
Ｌ１    ルーバー
Ｍ      換気回数
Ｒ１    室内空間
Ｓ      構造要素群
Ｔ１    通風窓
Ｕ１    柵
Ｗ１    開口部
Ｙ１    傾斜屋根
Ｚ１    ケースモデル
【図１】
2010276271.tif 000003
【図２】
2010276271.tif 000004
【図３】
2010276271.tif 000005
【図４】
2010276271.tif 000006
【図５】
2010276271.tif 000007
【図６】
2010276271.tif 000008
【図７】
2010276271.tif 000009
【図８】
2010276271.tif 000010
【図９】
2010276271.tif 000011
【図１０】
2010276271.tif 000012